(57)【要約】      （修正有）【課題】椅子の着座部である座面を座布団又はカバーとして被覆可能ならしめ、座面の汚れ等による椅子の全面交換を回避し、かつ椅子に一度取付けるだけで取外しする必要も無く、手荷物等の収納物を椅子の下に安心して収納できる簡便な椅子取付け用収納具を提供する。【解決手段】椅子取付け用収納具６は、椅子１の座面３を被覆し、裏面に係止部７ａを設けた被覆体７と、椅子１の座面下方に収納する収納具９と、収納具９を椅子１の座面下方に着脱自在に吊るして保持する係止部を備えた可撓性保持部材８とを備えたことを特徴とする。【選択図】図１ａ
2009189419.tif 000002
【特許請求の範囲】
【請求項１】
椅子の座面を被覆し、裏面に係止部を設けた被覆体と、前記椅子の座面下方に収納する収納具と、該収納具を椅子の座面下方に着脱自在に吊るして保持する係止部を備えた可撓性保持部材とを備えたことを特徴とする椅子取付け用収納具。
【請求項２】
可撓性保持部材の少なくとも一方に着脱自在に係止する係止部を形成したことを特徴とする請求項１記載の椅子取付け用収納具。
【請求項３】
椅子の座面下方に収納可能な大きさの板材とその周縁から立上る立ち上り片とで構成される箱状収納具であることを特徴とする請求項１又は２記載の椅子取付け用収納具。
【請求項４】
一本の支柱で支えられた椅子に対応可能とするために、変形可能な箱状収納具の中心部に前記支柱を貫通させる大きさの貫通孔を形成するとともに該箱状収納具の貫通孔から箱状収納具の端部まで前記支柱が挿入可能な切り込みを形成したことを特徴とする請求項１、２又は３記載の椅子取付け用収納具。
【請求項５】
椅子の座面下方に設置される収納具の前面に立上るように形成した保護部材を備えていることを特徴とする請求項１、２、３又は４記載の椅子取付け用収納具。
【発明の詳細な説明】
【技術分野】
【０００１】
本発明は椅子の着座部である座面を被覆する被覆部を備えた椅子取付け用収納具に関する。
【背景技術】
【０００２】
食堂やレストラン、集会場、ホール等に配置されている椅子席に着座する場合において、カバンその他の手荷物、あるいは脱いだ衣服等の荷物(以下、手荷物等という)はお店の人や施設の人に預けるか、近くの収納場所に置いておくのが一般的である。
【０００３】
また、この種の先行技術として、網（１）の四隅に、長さ調節可能で着脱自在なベルト（２）を、取り付けた携帯網棚がある(特許文献１参照)。
【特許文献１】特開２００３-２２５１５５
【０００４】
しかし、椅子席に着座する場合、自分の手荷物や脱いだ衣類等が自分の席から離れた場所に保管されると、間違えたり、紛失したり、忘れたりする等の不便さがあった。
また、特許文献１にあっては、椅子の下に取付けた網棚に荷物を置くことができる等の利点を有するが、椅子の上に２本のベルトが掛けられるために椅子に座った時にお尻に違和感があるだけでなく、持ち帰るためにその都度、椅子に網棚を取付けたり、取外したりする手間や面倒さが有り、かつ椅子の座席部分に破損や汚れ等がある場合、お店等の事業者にとっては椅子全体を交換しなければならず、椅子を取り替える費用も大変である。
【発明の開示】
【発明が解決しようとする課題】
【０００５】
本発明は上記の点に鑑みてなされたもので、その目的とするところは、椅子の着座部である座面を座布団又はカバーとして被覆可能ならしめ、座面の汚れ等による椅子の全面交換を回避し、かつ椅子に一度取付けるだけで取外しする必要も無く、手荷物等の収納物を椅子の下に安心して収納できる簡便な椅子取付け用収納具を提供することにある。
【課題を解決するための手段】
【０００６】
本発明に係る椅子取付け用収納具は、椅子の座面を被覆し、裏面に係止部を設けた被覆体と、前記椅子の座面下方に収納する収納具と、該収納具を椅子の座面下方に着脱自在に吊るして保持する係止部を備えた可撓性保持部材とを備えたことを特徴とする。
【０００７】
本発明に係る椅子取付け用収納具は、可撓性保持部材の少なくとも一方に着脱自在に係止する係止部を形成したことを特徴とする請求項１記載の椅子取付け用収納具である。
【０００８】
本発明に係る椅子取付け用収納具における収納具は、椅子の座面下方に収納可能な大きさの板材とその周縁から立上る立ち上り片とで構成される箱状収納具であることを特徴とする請求項１又は２記載の椅子取付け用収納具である。
【０００９】
本発明に係る椅子取付け用収納具における収納具は、一本の支柱で支えられた椅子に対応可能とするために、変形可能な箱状収納具の中心部に前記支柱を貫通させる大きさの貫通孔を形成するとともに該箱状収納具の貫通孔から箱状収納具の端部まで前記支柱が挿入可能な切り込みを形成したことを特徴とする請求項１、２又は３記載の椅子取付け用収納具である。
【００１０】
本発明に係る椅子取付け用収納具は、椅子の座面下方に設置される収納具の前面に立上るように形成した保護部材を備えていることを特徴とする請求項１、２、３又は４記載の椅子取付け用収納具である。
【発明の効果】
【００１１】
本発明は、一度、椅子に取付ければ取外すことなく継続して使用でき、椅子に着座する人の手荷物等を椅子の下に簡単に収納できるとともに椅子の座面は常時、被覆体にて被覆されるので椅子の座面が食べ物の汁等で汚れていても、あるいは座面の表面が経時的に劣化して色褪せしようとも座面の簡単な被覆により利用者には不快感を与えないで利用でき、汚れ等に伴う椅子全体を新規な椅子と交換しないで済み、全体として安価なリフォーム費用で収納機能を備えた椅子を提供できる。
【００１２】
本発明は椅子に着座している人が自分の手荷物等を自分の椅子の下に収納することができるので、他人の手荷物等と間違えたりすることが無く、別の保管場所に置いた場合に比べ置き忘れも少なくなり間違いも少なくなり安心して収納具に収納できる。
【００１３】
本発明は収納具を椅子の着座部位下方に吊るして保持するために使用する可撓性保持部材はその一端部を被覆体の裏面に設けた係止部に係止させるだけでなく着座している人の重さでその係止部がさらに被覆体と座面との間で一層強固に押えられ、収納具を保持する可撓性保持部材の係止部での安定的な固定が一層高まるという優れた効果を奏する。
【００１４】
しかも、収納具の前面には保護部材を形成することにより、椅子に座っている人の足等が直接、収納具に収納した手荷物等に触れることが無いので手荷物等が汚れる心配が無く安心して収納できる。
【発明を実施するための最良の形態】
【００１５】
以下、本発明を実施例に基づいて説明する。
第１の実施例として、４本の脚と座面と背貫部分を備えた背もたれとを備えた椅子に適用する場合について説明する。なお、本例では脚２の数を４本の場合について説明したが、これに限定されるものではなく、例えばＵ字状に折り曲げた左右２本のパイプで形成する場合や２本、４本以外の複数本の脚で支持する場合も含まれる。
１は椅子で、４本の脚２と座面３と背貫部分４を備えた背もたれ５とを備えている。６は椅子取付け用収納具で、椅子１の着座部分である座面３を被覆する大きさの被覆体７と、その被覆体７の裏面の左右前後(四隅部分)に係止して吊り下げ状態で保持する可撓性保持部材８と、その可撓性保持部材８によって保持される収納具９を備えている。
【００１６】
被覆体７は椅子１の着座部分である座面３を被覆する大きさに形成されており、椅子１の座面３の形状に合わせて四角形、円形その他の形状であってもよい。被覆体７の表面は合成皮革、合成樹脂製シートや繊維等による織物生地その他の素材により袋状に形成し、その内部に必要に応じてウレタンフォーム又は綿その他の素材からなるクッション材を充填した座布団としての機能を有する場合の他、クッション材を充填しない単なるシート状の被覆体であっても良い。被覆体７の表面素材は汚れ等が表面に付着したり水その他の液体をこぼしたりした時に表面から水等の液体がしみこまない素材であることが望ましいが、必ずしもこのような素材に限定されるものではなく、織物生地その他の素材であっても良い。需要者の要望等に応じて適宜素材は選択でき、またどのような素材であっても、洗濯等の清掃が容易であれば常時新鮮さを確保できる。また、被覆体７は椅子１の座面３の汚れや破損部分を被覆できる大きさであれば良いが、座面３より大きめに形成して座面の側面から垂れ下がる大きさに形成した場合(図示せず)、収納具９に収納した手荷物等を外部から遮断することができ、盗難防止に役立つ上に垂れ下がり部分によって椅子を一層豪華に引き立たせるという副次的効果を奏する。
【００１７】
被覆体７の裏面の所定箇所(本例では隅角部の４箇所)に可撓性保持部材８を係止する係止部７ａが設けられている。係止部７ａは可撓性保持部材８を座面３に固定する他、可撓性保持部材８が座面３からずれないように保持することができる他、座面３に着脱自在に取付け、取外し可能とする等の各種役割がある。本例では係止部７ａをベルベットファスナーで形成した場合を示したがこれに限定されるものではなく、係止用金具等その他の手段であってもよく、要は着脱自在な係止手段であればよい。図３(ａ)は可撓性保持部材８の上面が座面３の裏面に沿って平行に形成され、下部で着脱自在となるように形成されている。図３(ｂ)は可撓性保持部材８の上面が座面３の端部で切断される形状の場合を示し、その端部で着脱自在に係止する構造である。
【００１８】
可撓性保持部材８は椅子１の着座部分の下方位置で床面から少し浮いた位置で吊り下げた状態で収納具９を保持するためのものであり、帯状に形成するか紐状その他の形状であってもよいが、要は収納具９に手荷物等を収納した状態で、安定し、かつ確実に保持し得る強度を備えていればよい。本例ではより安定して収納具９を保持するために２本の帯状をした可撓性保持部材８のそれぞれが収納具９の裏面に沿って平行して取付けた状態で前後に上方に向けて立上る構成となっているが、要は複数本の可撓性保持部材８で収納具９を安定して保持できる構造であれば、本例に限定されない。そして、可撓性保持部材８で収納具９を吊り下げるその可撓性保持部材８の上端部には被覆体７の裏面に形成した係止部７ａとそれぞれ着脱自在に係止するベルベットファスナーその他の取付け手段からなる係止部８ａが設けられている。可撓性保持部材８の素材は取付け、取外し、安全性及び取扱い性等に優れていれば良く、例えば合成繊維素材、合成樹脂素材等の可撓性を有し、かつ伸縮性の少ない素材であればよい。
【００１９】
収納具９は比較的軽量な例えば中質繊維版(ＭＤＦ)、プラスチック板を耐水性の合成樹脂製シート、合成繊維生地等で被覆して形成され、単なる平板状とするかあるいはバスケット等の箱状に形成してもよい。箱状に形成した場合、収納具９に手荷物等を収納した時に小さな収納物が落ちたり飛び出したり、転がって落ちたりする心配が無く安心して収納できる。収納具９を網状に形成する場合であっても良いが、手荷物等が床に接したりして汚れないような構造に形成することが望ましく、より好ましくは、あまり変形しないボード状の素材が好ましい。
また、１０は保護部材で、椅子１の下方に設置される収納具９の前面に立上るように形成し、人が着座した時に足が収納具９に収納された手荷物等の収納物に当たらないようにするとともに足で蹴ったりして収納物が床面に落下する等を防止するためである。
【００２０】
図４は本発明の第２の実施例を示し、椅子１の背貫部分がなく背もたれ５により全部覆われている場合を示す。基本的な構成は実施例１と同様であるが、主な相違点を述べると次の通りである。椅子１が背貫部分を備えた背もたれ構造である場合は実施例１で示したが、背貫部分がない本例では可撓性保持部材８の一方は収納具９に取付けられる点は実施例１と同様であるが、可撓性保持部材８の他方の部分は椅子１の後部脚２の背面を巻き付けるようにして座枠３ａの側面を通って被覆体７の裏面に着脱自在に取付ける。
【００２１】
図５及び図６は本発明の第３の実施例を示し、椅子１の支柱となる脚２を１本で形成した椅子に適用した場合を示す。基本的な構成は実施例１及び実施例２に共通するが、収納具９の中央部に一本の脚２が貫通する透孔９ａを形成するとともに収納具９の端部からその透孔９ａに達するスリット状の切り込み部９ｂが形成されている。収納具９を一本の脚２の周りに取付ける時には切り込み部９ｂを開いて脚２をスリット状の切り込み部９ｂから差込みながら透孔９ａに嵌合させる。嵌合後はスリット状の切り込み部９ｂが開かないように係止部９ｃであるベルベットファスナー同士で固定する(図７参照)。
【図面の簡単な説明】
【００２２】
【図１】(ａ)(ｂ)  本発明の第１の実施例である背貫部分を備えた背もたれの椅子に適用した場合を示す斜視図である。
【図２】被覆体を示す斜視図である。
【図３】(ａ)  本発明に係る椅子取付け用収納具を構成する可撓性保持部材により保持される収納具の斜視図である。
【図３】(ｂ)  本発明に係る椅子取付け用収納具を構成する可撓性保持部材により保持される収納具の他の実施例を示す斜視図である。
【図４】本発明の第２の実施例である背貫部分を有しない全面背もたれの椅子に適用した場合を示す斜視図である。
【図５】本発明の第３の実施例である一本の足で支持された椅子に適用した場合を示す斜視図である。
【図６】本発明に係る椅子取付け用収納具を構成する可撓性保持部材により保持される収納具の他の実施例を示す斜視図である。
【図７】収納具に形成した切り込み部を係止部であるベルベットファスナーで固定した場合を示す断面図である。
【符号の説明】
【００２３】
１    椅子
２    脚
３    座面
４    背貫
５    背もたれ
６    椅子取付け用収納具
７    被覆体
７ａ  係止部
８    可撓性保持部材
８ａ  係止部
９    収納具
９ａ  透孔
９ｂ  切り込み部
９ｃ  係止部
１０  保護部材
【図１ａ】
2009189419.tif 000003
【図１ｂ】
2009189419.tif 000004
【図２】
2009189419.tif 000005
【図３ａ】
2009189419.tif 000006
【図３ｂ】
2009189419.tif 000007
【図４】
2009189419.tif 000008
【図５】
2009189419.tif 000009
【図６】
2009189419.tif 000010
【図７】
2009189419.tif 000011